(57)【要約】【課題】自動販売機の内部に収納された商品に対して、商品取出口から挿入される細長い道具等による商品抜取り等の悪戯を防止するに好適な簡易な構成の自動販売機を提供する。【解決手段】内部に商品収納部を形成した販売機本体と、この販売機本体の前面に開閉自在に設けられた前扉と、この前扉の前面側に設けられた商品取出口に連通して該前扉の下部に設けられた商品受け部と、前記商品取出口の後方に設けられて前記商品取出口からの前記販売機本体内部の見通しを阻止する遮蔽板と、この遮蔽板の後方側に位置付けられて前記商品収納部から払い出された前記商品を前記商品受け部に導くガイド体と、前記ガイド体の上方に設けられて、前記商品収納部の商品払出口と、その上部側とを区画するカバー体とを備える。【選択図】      図１
2004295803.tif 000002
【特許請求の範囲】
【請求項１】
内部に商品収納部を形成した販売機本体と、
この販売機本体の前面に開閉自在に設けられた前扉と、
この前扉の前面側に設けられた商品取出口に連通して該前扉の下部に設けられた商品受け部と、
前記商品取出口の後方に設けられて前記商品取出口からの前記販売機本体内部の見通しを阻止する遮蔽板と、
この遮蔽板の後方側に位置付けられて前記商品収納部から払い出された前記商品を前記商品受け部に導くガイド体と、
前記ガイド体の上方に設けられて、前記商品収納部の商品払出口とその上部側とを区画するカバー体と
を備えることを特徴とする自動販売機。
【請求項２】
前記カバー体は、前記販売機本体の前面側または前記前扉の裏面側に取り付けられるものである請求項１に記載の自動販売機。
【発明の詳細な説明】
【０００１】
【発明の属する技術分野】
本発明は、自動販売機への悪戯防止策を講じた簡易な構成の自動販売機に関する。
【０００２】
【従来の技術】
タバコ等の自動販売機は、図５にその概略的な内部構造を示すように外観的には箱状の販売機本体１と、その前面に開放自在に設けた前扉（ドア部）２とを備えて構成される。この販売機本体１の内部およびドア部２の裏面には、タバコ等のパッケージ化された商品Ｃを積層して収容する複数列の商品収納部４（４ａ，４ｂ）がそれぞれ設けられている。
【０００３】
また、これらの各商品収納部４（４ａ，４ｂ）には、その内部に商品種別毎に分類された商品（タバコ）Ｃを積層した状態で収納されるようになっている。そして、各商品収納部４の下方位置には商品収納部４内に積層して収納された最下位置のタバコＣを、その前面側に払い出す商品払出機構５がそれぞれ組み込まれている。この商品払出機構５は、例えば、ねじ機構式のものや、無端ベルト（チェーン）式のものが採用されている。ちなみに、この商品払出機構５は図６に商品取出部の要部断面構造を示すように無端ベルト５ｂによって旋回するプッシャ５ａがタバコＣをその背面から押し出して商品払出口１２に払い出すようになっている。
【０００４】
このような自動販売機は、例えばドア部２を閉じたとき、販売機本体１の内部およびドア部２の裏面に設けられた商品収納部４ａおよび４ｂが平行に対向するように構成されている。そして、この商品収納部４ａおよび４ｂとの間にはタバコＣの最大外形寸法よりも僅かに広い空間部が自由落下通路として形成されるようになっている（中央通路方式）。そして、この自由落下通路の下方には、ガイド体６が設けられて商品収納部４から払い出されたタバコＣが商品受け部７に導かれるようになっている。
【０００５】
尚、このドア部２の前面には、商品取出口８の上端部の軸支点８ａに軸支されて、その下端側が回動自在な商品取出扉８ｂが設けられている。この商品取出扉８ｂは、常時は商品取出口８を閉塞すると共に、商品受け部７に導かれたタバコＣを取り出すときに内側に押圧されて、タバコＣを取り出すことができるようになっている。
【０００６】
このような自動販売機にあっては、販売機本体１およびドア部２にそれぞれ設けられた各商品収納部４（４ａ，４ｂ）に収納されたタバコＣが商品取出口８から手や腕または細長い道具等を使って抜き取られる等の虞がある。このため、従来は商品受け部７とその上方の壁部９との間隔Ａを短くして手や腕などの侵入を防止することが行われている。
【０００７】
また、販売機本体１の内部に収納されている商品（タバコＣ）に対して、針金等の細長い道具を用いてなされる悪戯防止策として、販売機本体１内部の商品収納部４ａの前面側に針金防止板１０を設けた自動販売機がある。この針金防止板１０は、専ら商品収納部４内に収納したタバコＣが商品受け部７に脱落しないよう商品収納部４の前面側を閉止する一括扉１１を転用することによって実現していた。
【０００８】
或いは、販売機本体に収納されたタバコが抜き取られないようにドア部２の前面に設けた商品取出扉により、常時は上記商品取出口を閉塞すると共に、この商品取出扉が前扉内側に向けて押圧されて回動するとき、この商品取出扉によって、押圧されて姿勢変位するシャッタにより商品受け部と商品収納部との連通部を閉塞する自動販売機がある（例えば、特許文献１を参照）。
【０００９】
【特許文献１】
特願２００２−１７７３５１号
【００１０】
【発明が解決しようとする課題】
しかしながら、上述したように商品受け部７とその上方の壁部９との間隔Ａを短くした場合、商品受け部７に払い出された商品を、商品取出口８から取り出し難いという問題があった。また、この方法によって販売機本体１の内部に手または腕の侵入を防止できたとしても、細長い道具、例えば鈎状に折り曲げられた針金Ｇなどが使われた場合、販売機本体１およびドア部２にそれぞれ備え付けられた各商品収納部４の内部の商品が、抜き取られる等の悪戯をされる虞があった。
【００１１】
一方、商品収納部４が上下方向に複数段設けられている所謂、多段コラム構成の場合は、一括扉１１によって商品収納部４の前面が一括扉で覆われるため、商品取り出し口８から挿入された針金Ｇによる商品に対する悪戯を防ぐことは可能である。しかしながら商品取出口８から挿入した鈎状に折り曲げられた針金Ｇが、まれに一括扉１１の上方側から商品収納部４に収納されたタバコＣに到達するという問題があった。
【００１２】
ちなみに、商品収納部４が１段コラム構成の場合は、前述した多段コラムとは異なり、一括扉が設けられておらず、鈎状に折り曲げられた針金Ｇが商品収納部４に収納されている商品Ｃに到達するという問題があった。また、商品取出口８から挿入した針金Ｇが販売機本体１の内部に設けた商品収納部４ａのみならず、まれではあるがドア部２に設けられた商品収納部４ｂに収納したタバコＣに到達して悪戯されるという問題もあった。
【００１３】
或いは、商品取出扉の回動と連動して商品受け部と商品収納部との連通部を閉塞するシャッタを備えた自動販売機にあっては、針金等による悪戯を防止することができる反面、部品点数が増えて複雑な構成となり、高価になるという懸念もある。
本発明はこのような事情を考慮してなされたもので、その目的は、販売機本体の内部に収納された商品に対して、商品取出口から挿入される細長い道具等による悪戯等を防止するのに好適な簡易な構成の自動販売機を提供することにある。
【００１４】
【課題を解決するための手段】
前述した目的を達成するべく、本発明に係る自動販売機は、内部に商品収納部を形成した販売機本体と、この販売機本体の前面に開閉自在に設けられた前扉と、この前扉の前面側に設けられた商品取出口に連通して該前扉の下部に設けられた商品受け部と、前記商品取出口の後方に設けられて前記商品取出口からの前記販売機本体内部の見通しを阻止する遮蔽板と、この遮蔽板の後方側に位置付けられて前記商品収納部から払い出された前記商品を前記商品受け部に導くガイド体と、前記ガイド体の上方に設けられて、前記商品収納部の商品払出口と、その上部側とを区画するカバー体とを備えることを特徴としている。
【００１５】
好ましくは、前記カバー体は、前記販売機本体の前面側または前記前扉の裏面側に取り付けられるものとして構成される。
即ち、本発明に係る自動販売機によれば、商品収納部から払い出された商品を商品受け部に導くガイド体の上方に設けたカバー体によって、商品収納部の商品払出口とその上部側とを区画することによって販売機本体内部に収容した商品に対する悪戯を防止するものである。また、商品取出口と商品収納部との間に遮蔽板が設けられて、商品受け部と遮蔽板との間隔が狭くなっているので、商品取出口から挿入された手や腕などが商品収納部に到達できず、商品に対する悪戯を防止することもできる。
【００１６】
【発明の実施の形態】
以下、図面を参照して本発明の第一の実施形態に係る自動販売機についてタバコ用の自動販売機を例に説明する。尚、従来の自動販売機と同じ機能を備えている部位に関しては、同符号を付してその説明を省略する。
この第１の実施形態に係る自動販売機は、概略的には図１の概略的な内部構造および図２に自動販売機の商品取出部の要部拡大図を示すように、ドア部２の前面側の商品取出口８に設けられた商品取出扉８ｂをドア部２の内側に向けて押し開けることによってガイド体６を介して商品受け部７に払い出されたタバコＣを取り出すことができるよう構成されている。
【００１７】
このガイド体６の上方には、商品払出機構５によって商品収納部４内に収納されている商品Ｃを払い出す商品払出口１２と、その上部側とを区画するカバー体２０が設けられたものとなっている。このカバー体２０は、詳細は後述するが商品取出口８から挿入される例えば針金Ｇ等により販売機本体１の内部に収納されたタバコＣに対する悪戯を防止する役割を担うもので、例えば板状の金属板によって形成される。
【００１８】
即ち、本発明が特徴とするところは、上述したように構成された自動販売機において商品収納部４から払い出された商品Ｃを商品受け部７に導くガイド体６の上方にカバー体２０を設けた点にある。つまり、このカバー体２０をガイド体６の上方に設けて商品収納部４の商品払出口１２と、その上部側とを区画することによって販売機本体１内部に収容したタバコＣに対する悪戯を防止するものである。
【００１９】
ちなみにカバー体２０は、ドア部（前扉）２に設けられた商品収納部４ｂの下方側、即ち商品払出機構５の上部側に位置付けられて固定された板状の部材からなっている。詳しくはこのカバー体２０は、商品収納部４ｂに収納された商品Ｃを整列させる商品規制板１３の部位から、販売機本体１の内側に設けられた商品収納部４ａに向かって水平に延びる水平部２０ａと、この水平部２０ａの端部からこの商品収納部４ａの前面近傍に沿って下方側に曲げて延びる垂直部２０ｂとを備え、更にその左右両端部を覆う側板部２０ｃとを備えたカバー形状の構造をなしたものとなっている。このように形成したカバー体２０は、商品収納部４の商品払出口１２と、その上部側とを区画する役割を担っている。
【００２０】
具体的に、販売機本体１の内部に収納されたタバコＣに対して、商品取出口８から挿入した細長い道具、例えば鈎状に折り曲げられた針金等を用いてなされる悪戯等を防止する機構について図２を参照しながら説明する。
販売機本体１の内部に収納されたタバコＣに対して悪戯を施そうとする者は、販売機本体１の前面の商品取出扉８ｂを販売機本体１の内部に押し込んで、商品取出口８から細長い針金Ｇを挿入する。すると針金Ｇの先端部は、商品受け部７に到達する。次いでタバコＣに悪戯を施そうとする者は、商品受け部７から商品収納部４に向けて鈎状に針金Ｇを折り曲げて押し込んでいく。
【００２１】
このとき押し込まれた針金Ｇの先端部は、販売機本体１のドア部２の内側に取り付けられたカバー体２０内側の一面、即ち商品払出機構５と商品受け部７との間の連通部側の一面に到達する。この状態で更に針金Ｇを販売機本体１に押し込むと該針金Ｇは、その可繞性からガイド体６の内部で折れ曲がって変形する。つまり針金Ｇは、ガイド体６の内面側（連通部側）で折れ曲がることになる。
【００２２】
また、商品収納部４の商品払出口１２と、その上部とを区切るようにカバー体２０が設けられている。このため、例えば商品払出口１２で払出しを待つ商品Ｃに折れ曲がった針金Ｇが到達し、この針金Ｇの押圧によって商品収納部４の上方から商品Ｃを落とされたとしても、商品Ｃはカバー体２０の上部側に落ちるだけであり商品Ｃの取り出しを防ぐことができる。
【００２３】
特に、商品取出口８の後方に壁部（遮蔽板）１０を設けているので、商品取出口８からの販売機本体１内部の見通しを阻止することができる。すなわち、壁部（遮蔽板）１０によって商品取出口８から前述したカバー体２０を視認することができない。このため商品取出口８から販売機本体１の内部に挿入した細長い針金Ｇ等の状態を視認することができないので効果的に販売機本体１の内部に収納されている商品Ｃに対する悪戯を防止することができる。
【００２４】
したがって、本発明の第一の実施形態に係る自動販売機によれば、商品収納部４の商品払出口１２と、その上部とを区画するカバー体２０を設けているので、商品取出口８から挿入される細長い針金Ｇ等による悪戯等を効果的に防止することができる。勿論、商品取出口８と商品収納部４との間に壁部９が設けられて、商品受け部７と壁部９との間隔が狭くなっているので、商品取出口８から挿入された手や腕などが商品収納部４に到達できず、商品Ｃに対する悪戯を防止することもできる。
【００２５】
また、カバー体２０は、販売機のドア部２の裏面に設けられた商品収納部４ｂの下部側に取り付けられている。このためドア部２を開くことによって、商品収納部４ｂの前面から待避することができ、該商品収納部４ｂに収納するタバコＣの装填を妨げることがない。また、商品収納部４ｂに収納されているタバコＣの在庫状況をも容易に確認することができる。
【００２６】
尚、本発明は上述した実施形態に限定されるものではない。上述した第一の実施形態は、カバー体２０を販売機のドア部２の裏面側に設けた商品収納部４ｂに取り付けたものであるが、例えば図３の第２の実施形態に示すように販売機本体１の内部に設けられた商品収納部４ａに該カバー体２０を取り付けてもかまわない。
【００２７】
具体的にこのカバー体２０は、販売機本体１の内部に設けた商品収納部４ａの下方側、即ち商品払出口１２の上部側に位置付けられて固定された板状の部材からなっている。詳しくは、このカバー体２０は、商品収納部４ａに収納された商品Ｃを整列させる商品規制板１３の部位から、販売機本体１の上方に向かって延びる垂直部２０ｂと、この垂直部２０ｂの端部から、ドア部２に設けられた商品収納部４ｂの下部側の商品払出口１２に向かって折り曲げて延びる水平部２０ａとを備え、更にその左右両端部を覆う側板部材２０ｃとを備えたカバー形状の構造をなしたものとなっている。そして、このカバー体２０は、上述した第１の実施例と同様に商品収納部４の商品払出口１２とその上部側とを区画する役割を担うものとなっている。
【００２８】
ちなみにこのガイド体６は、販売機本体１の内部に設けた商品収納部４ａに収納するタバコＣの装填および在庫状況の確認を妨げないように、商品収納部４ａの取り付け部位にバネ性を有するヒンジ２１を設けたものとなっている。このヒンジ２１は、カバー体２０を軸支するもので、該カバー体２０の前面端部を前方向に回頭自在とするものである。
【００２９】
そして、商品収納部４ａにタバコＣを装填するとき、または商品収納部４ａに装填されたタバコＣの在庫状況確認をするときは、カバー体２０の下部に設けられたヒンジ２１を軸支点として、該カバー体２０を前面側に回頭させてカバー体２０の前面端部を下方に位置付けるようになっている。そして、商品収納部４ａにタバコＣの装填が済んだとき、またはタバコＣの在庫状況確認が済んだとき、前述したヒンジ２１に設けたバネの復元力を利用して、カバー体２０を商品収納部４の商品払出口１２と、その上部側とを区画するように位置付ける。
【００３０】
このように本発明の第２の実施形態に係る自動販売機にあっても、前述した第１の実施形態と同様に、商品収納部４の商品払出口１２と、その上部とを区画するカバー体２０を設けているので、商品取出口８から挿入される細長い針金Ｇ等による悪戯等を効果的に防止することができる。
或いは、本発明に係る自動販売機は、図４の第３の実施形態に示すように構成してもよい。この第３の実施形態が、上述した第１および第２の実施形態と異なる点は、ドア部２に商品収納部４ｂがなく、販売機本体１の内部だけ商品収納部４ａを設けた自動販売機を例示するものである。
【００３１】
この種の自動販売機は、ドア部２に商品収納部４ｂがないため、この商品収納部４ｂから払い出される商品を考慮する必要がない。つまり販売機本体１の内部に設けられた商品収納部４ａから払い出されるタバコＣが商品払出口１２から商品受け部７に落ちるのを妨げることなく、商品取出口８から悪戯のために挿入される針金等の侵入を防止すればよい。このため販売機本体１の内部に設けた商品収納部４ａの商品払出口の上部からドア部２の裏面側に延びる水平部２０ａを備えた板状のカバー体２０を設ければよい。
【００３２】
このように構成することで、前述した第１および第２の実施形態と同様に、商品収納部４の商品払出口１２と、その上部とを区画するカバー体２０を形成することができ、商品取出口８から挿入される細長い針金Ｇ等による悪戯等を効果的に防止することができる。
その他、本発明のその要旨を逸脱しない範囲において、種々変形して実施することができる。
【００３３】
【発明の効果】
以上説明したように本発明によれば、商品収納部から払い出された前記商品を前記商品受け部に導くガイド体の上方にカバー体を設けて、商品収納部の商品払出口と、その上部側とを区画しているので、簡易な構成でありながら商品取出口から販売機内部に収納された商品の抜取り等の悪戯を確実に阻止することができる等の実用上多大なる効果が奏せられる。
【図面の簡単な説明】
【図１】本発明の第１の実施形態に係る自動販売機の内部概略構成を示す図。
【図２】図１に示す自動販売機の商品取出口の要部断面構成を示す図。
【図３】本発明の第２の実施形態に係る自動販売機の商品取出口の要部断面構成を示す図。
【図４】本発明の第３の実施形態に係る自動販売機の商品取出口の要部断面構成を示す図。
【図５】一般的な自動販売機の内部概略構成を示す図。
【図６】従来の自動販売機の商品取出口の要部断面構造を示す図。
【符号の説明】
１      販売機本体
２      ドア部
４      商品収納部
５      商品払出機構
６      ガイド体
７      商品受け部
８      商品取出口
９      壁部
１２      商品払出口
１３      商品規制板
２０      カバー体
Ｃ      タバコ
Ｇ      針金
【図１】
2004295803.tif 000003
【図２】
2004295803.tif 000004
【図３】
2004295803.tif 000005
【図４】
2004295803.tif 000006
【図５】
2004295803.tif 000007
【図６】
2004295803.tif 000008